(57)【要約】 【課題】  建物内の中庭とスロープとを有効に組み合わせ、玄関としての通常の外観を保ちつつ、車椅子の利用並びに中庭の利用を便利にする。【解決手段】  住宅１の１階部分に基本生活空間と中庭１０とを配置した住宅において、中庭１０内に、基本生活空間の壁際に寄せて基本生活空間に連なる車椅子用のスロープ１３を設けたので、中庭１０の景観の邪魔にならないように、しかも長くて傾斜の小さいスロープとすることができ、車椅子１４の利用がより容易になり、中庭１０のスペースの有効利用を図ることもできる。【選択図】図１
2008088711.tif 000002
【特許請求の範囲】
【請求項１】
建物の１階部分に基本生活空間及び玄関を備えると共に少なくとも２方面が前記基本生活空間に隣接する中庭を有し、前記中庭には前記玄関の玄関ポーチに通じる第１の出入り口が設けられると共に前記基本生活空間に通じる第２の出入り口が設けられ、前記第１の出入り口と第２の出入り口とを連結するスロープが前記中庭内に設けられることを特徴とする住宅。
【請求項２】
前記第２の出入り口は前記玄関の玄関ホールに通じる請求項１記載の住宅。
【請求項３】
前記スロープは、前記中庭を取り囲む前記基本生活空間の内側を周回して前記基本生活空間に隣接する様に設けられる請求項１記載の住宅。
【請求項４】
前記第１の出入り口及び前記第２の出入り口に、その出入り口を開閉できる引き戸を設けた請求項１記載の住宅。
【発明の詳細な説明】
【技術分野】
【０００１】
本発明は、建物内に車椅子用のスロープを設けた住宅に関する。
【背景技術】
【０００２】
本格的長寿社会を迎え、高齢者に限らず、保護されるべき被介護者は歩行の困難を補うために車椅子の使用が不可避である場合がしばしばであり、したがって係る被介護者の暮らす住宅は、床の段差を可能な限り小さくすることによって、車椅子の使用を安全かつ容易にする必要がある。
【０００３】
このような要請に向けて本出願人は特許文献１においてビルトインカーポートに着目し、そのビルトインカーポートと車椅子使用者のためのスロープとを有効に組み合わせることによって、玄関としての通常の外観を保ちつつ、車椅子の利用並びに車の利用を便利にし、さらにスロープを含む建物全体の設計も容易にすることができる住宅を提案した。
【０００４】
また特許文献２には被介護人が外気に触れる機会を多くすることができると共に、被介護人の外出を容易にし、また家族や友人とのコミュニケーションを図りやすくして被介護人が孤独感を感じることを回避できるとする中庭付住宅が記載されている。
【特許文献１】特開２００１−４９８７８号
【特許文献２】特開２００２−１６７９８３号
【発明の開示】
【発明が解決しようとする課題】
【０００５】
しかし、特許文献１ではビルトインカーポートの存在が条件であって、車椅子使用者固有の問題としての一般性を有し得ない難点があった。
また特許文献２では玄関から基本生活空間への出入りについては１３〜１５ｃｍの段差の３段から４段程度の緩い勾配の階段、若しくはスロープを介して出入り可能と言及するのみであって、限られた基本生活空間が中庭との関係でも有効利用されているとは言い難いという難点があった。
【０００６】
本発明は以上の従来技術における問題に鑑み、快適な生活空間を構成するための静的な空間である中庭に着目し、限られた基本生活空間が中庭との関係でも有効利用されて車椅子使用者とって快適な生活環境を実現することができる住宅を提供することにある。
【課題を解決するための手段】
【０００７】
以上の課題を達成するための本発明の住宅は、建物の１階部分に基本生活空間及び玄関を備えると共に少なくとも２方面が前記基本生活空間に隣接する中庭を有し、前記中庭には前記玄関の玄関ポーチに通じる第１の出入り口が設けられると共に前記基本生活空間に通じる第２の出入り口が設けられ、前記第１の出入り口と第２の出入り口とを連結するスロープが前記中庭内に設けられることを特徴とする。
【０００８】
このような本発明によれば、中庭内にスロープを設けることによって、玄関としての通常の外観を保ちつつ、車椅子の利用を便利にし、さらにスロープを含む住宅全体の設計も容易にすることができる。さらに、スロープがこのように中庭内にあるので、雨天のときにも大変好都合な構成となる。
【０００９】
前記第２の出入り口は前記玄関の玄関ホールに通じる様にしても良い。
【００１０】
前記スロープを、前記中庭を取り囲む前記基本生活空間の内側を周回して前記基本生活空間に隣接する様に設けることができる。
【００１１】
このようにすれば、スロープを基本生活空間に寄せて中庭の景観の邪魔にならないように、しかも長くて傾斜の小さいスロープを設けることができる。また、スロープの存在は中庭のスペースを兼用する存在となるので、スロープを設けるための実質的なスペースを小さくすることができる。
【００１２】
前記第１の出入り口及び前記第２の出入り口に、その出入り口を開閉できる引き戸を設けることができる。
【００１３】
この様に引き戸が設けられることによって開き戸である場合には通行の方向に戸が開閉されることから開閉が困難となり、特に車椅子に乗る人がその様な開閉動作を行う場合には前後の移動を行わなければならないという問題が解消される。
【発明の効果】
【００１４】
以上のように、本発明の住宅によれば、建物内に配置する中庭に着目し、その中庭とスロープとを有効に組み合わせることによって、玄関としての通常の外観を保ちつつ、車椅子の利用並びに中庭の利用を便利にし、さらにスロープを含む建物全体の設計も容易にすることができる。また、車椅子使用者のみならず足の弱くなった高齢者や身障者等の出入りをスムーズに行わせることも可能になる。したがって一般住宅で簡易な構造により、空間を有効に活用して車椅子使用者が快適な生活を送ることができる居住環境を実現することができる。
【発明を実施するための最良の形態】
【００１５】
［第一の実施の形態］
以下、本発明の実施の形態を図面に基づいて説明する。
図１に示す住宅１は平面略Ｌ字形の１階間取りを有する二階建以上の建物の平面図であり、図２は図１の一部を拡大して示す斜視図である。
住宅１の１階には、基本生活空間、すなわち車椅子使用者の日常生活を最低限確保するために必要な「就寝」「排泄」「洗面」「脱衣・入浴」「昼間の活動・食事」および住宅１からの出入りに供する空間を構成する要素としての玄関２、便所３、洗面脱衣室４、浴室５、居間・食事室６及び車椅子使用者の寝室７、居室８及び廊下９が中庭１０を囲繞して配置される。
住宅１の玄関２は玄関ポーチ２−１と、その玄関ポーチ２−１に出入り口２−２を介して連続する玄関土間２−３と、その玄関土間２−３に上框２−４を介して臨む玄関ホール２−５を有して成る。
【００１６】
玄関ポーチ２−１はカーポート１１と出入り口２−２間の動線に沿って展開され、かつ中庭１０の第１の出入り口１０−１方向に平坦に形成された中庭入り口たたき２−６を備える。
【００１７】
玄関土間２−３はＬ字状に形成され、その一端部分には中庭１０への出入り口２−７が設けられる。また玄関で靴を脱ぐために腰を下ろす上框２−４は土埃、水気等が玄関ホール２−５を経て基本生活空間に侵入してくるのを回避できる程度の段差を備えてなり、ほぼ矩形状にされた玄関ホール２−５と玄関土間２−３との境界を形成する。
【００１８】
玄関ホール２−５には基本生活空間への出入り口２−８が設けられ、かつ中庭１０への第２の出入り口１０−２が設けられる。またこの玄関ホール２−５には基本生活空間への出入り口２−８を介して居間・食事室６が隣接して配置されており、居間・食事室６には２階への階段１２が配置されている。また、基本生活空間の一要素としての廊下９には、中庭１０に沿って延びる縁側９ａが設けられ、一方居室８には中庭１０に沿って延びる縁側８ａが設けられる。
【００１９】
以上の基本生活空間を備えた本実施の形態の住宅１では、住宅１の基本生活空間を構成する各部に囲繞されて配置された中庭１０内に、基本生活空間に連なる車椅子用のスロープ１３が設けられている。
【００２０】
スロープ１３は、図２にも示される様に基本生活空間を構成する各部の壁際に寄せられ、かつ中庭１０に対する出入り方向に直線的に延びる相互に平行なスロープ要素１３−１とスロープ要素１３−２とを有する。またスロープ要素１３−１とスロープ要素１３−２の端部を連結し、スロープ要素１３−１とスロープ要素１３−２に対して垂直方向に延びる様に配置されたスロープ要素１３−３を備える。このスロープ１３を構成する材料としては、木材、樹脂材料、金属、コンクリート等が必要に応じて選択される。
【００２１】
スロープ要素１３には中庭入り口たたき２−６方向への第１の出入り口１０−１から玄関ホール２−５方向への第２の出入り口１０−２に向かって１／１５の昇り勾配であって、これはすなわち第２の出入り口１０−２から第１の出入り口１０−１に向かって３ｍ間で２０ｃｍ低くなる下り勾配が形成される。係る勾配によって車椅子１４の使用者は特に危険な段差を通過することなく基本生活空間と外部との出入りを行うことができる。
【００２２】
さらに、第１の出入り口１０−１には引き戸１５が設けられ、第２の出入り口１０−２には引き戸１６が設けられている。この引き戸１５、１６はアルミサッシ等とすることができる。
【００２３】
このように本実施の形態の住宅によれば、中庭１０内にスロープ１３を設けることによって、玄関２としての通常の外観を保ちつつ、車椅子１４の利用がより容易になり、中庭１０のスペースの有効利用を図ることもできる。しかもスロープ１３を含む住宅１全体の設計も容易にすることができる。さらに、スロープ１３がこのように中庭１０内にあるので、雨天のときにも大変好都合な構成となる。すなわち基本生活空間の壁際から中庭１０内側方に向けて張り出す態様でスロープ１３の雨除けとなる庇を設けることによって、車椅子１４を使用してスロープ１３を走行する際に雨天であっても特に傘の使用が必要となる様なことはない。係る庇は着脱可能に若しくは伸縮可能に構成することもできる。
【００２４】
また、スロープ１３は、基本生活空間の壁際に寄せて設けているので、中庭１０の景観の邪魔にならないように、しかも長くて傾斜の小さいスロープとすることができる。
【００２５】
［第二の実施の形態］
図３は本発明の第二の実施の形態の住宅１を示し、この実施の形態の住宅１では基本生活空間に配置された階段１２の下方の空間１２ａの床面に中庭１０方向へ下降する傾斜が設けられると共にスロープ１３への第２の出入り口１０−２ａが設けられ、その他の点は前述の第一の実施の形態と同様にされる。
この第二の実施の形態の住宅１では、車椅子１４の使用者は必要に応じて第２の出入り口１０−２ａから階段１２の下方の空間１２ａを介して基本生活空間内に入ることができ、また基本生活空間から階段１２の下方の空間１２ａ及び第２の出入り口１０−２ａを介してスロープ１３上に進行することができる。
［第三の実施の形態］
図４は本発明の第三の実施の形態の住宅１を示し、この実施の形態の住宅１では中庭１０はその２方面１０ａ、１０ｂが基本生活空間に囲繞され、他の一方面１０ｃはカーポート１１に面する外壁１７とされ、その他の点は前述の第一の実施の形態と同様にされる。
この第三の実施の形態の住宅１は全体がコンパクトにされて省スペース型とされてはいるものの、スロープ１３の使用態様及びその便利さは第一の実施の形態と特に異なるものではなく、第一の実施の形態と同様に車椅子１４の使用者の快適な住環境が実現される。
尚、外壁１７に出入り口１０−１ａを設け、その出入り口１０−１ａに通じる補助スロープ１３ａを設けて、必要に応じて補助スロープ１３ａから出入り口１０−１ａを介して、カーポート１１に車椅子使用者が進行することができる様にしても良い。
【図面の簡単な説明】
【００２６】
【図１】本発明の第一実施の形態に係る住宅の１階間取り図である。
【図２】図１に示す住宅の部分拡大斜視図である。
【図３】本発明の第二実施の形態に係る住宅の１階間取り図である。
【図４】本発明の第三実施の形態に係る住宅の１階間取り図である。
【符号の説明】
【００２７】
１・・・住宅、２・・・玄関、２−１玄関ポーチ、２−３・・・玄関土間、２−４・・・上框、２−５・・・玄関ホール、１０・・・中庭、１０−１・・・第１の出入り口、１０−２・・・第２の出入り口、１３・・・スロープ、１５、１６・・・引き戸、１４・・・車椅子。
【図１】
2008088711.tif 000003
【図２】
2008088711.tif 000004
【図３】
2008088711.tif 000005
【図４】
2008088711.tif 000006